(57)【特許請求の範囲】
【請求項１】
絶縁性を有する合成樹脂製のハウジングと、該ハウジングに収容される複数の端子とを備え、前記ハウジングには、ＦＰＣ又はＦＦＣの端末部分に設けられる保持用穴に係合する保持用ロック部と、該保持用ロック部に連続するアーム部とを有し、且つ前記保持用ロック部に対して連動可能で弾性変形可能なロックアームを形成してなるＦＰＣ／ＦＦＣコネクタにおいて、
前記アーム部は、前記保持用ロック部に連続し該保持用ロック部から上方に突出するロック側連続部と、前記操作部に連続する操作側連続部と、前記ロック側連続部に連成されて片持ち形状に形成され前記ハウジングの上壁の外面に対し略平行な状態に形成される板状（帯板状）のアーム本体とを有してなり、
前記ロックアームは、前記ハウジングに一体形成されるとともに、前記保持用ロック部及び前記アーム部に加えて、外部からの力を掛ける部分としての操作部と、該操作部及び前記保持用ロック部間の前記操作部側に位置し、前記アーム本体の前記ハウジングの外面と対向する面に形成された支点部とを有し、
さらに、前記ロックアームは、前記保持用ロック部の位置が前記保持用穴の位置に対して係合位置にある状態において、前記支点部を前記ハウジングの外面から離れるように位置させ、前記保持用ロック部の位置が前記係合位置にある状態から前記操作部に前記外部からの力を掛けた状態にすると、前記ハウジングの外面から離れていた前記支点部が前記ハウジングの外面に当接して、前記支点部を基点に弾性変形が生じて前記保持用ロック部の位置が前記保持用穴の位置に対し非係合位置へと移動する
ことを特徴とするＦＰＣ／ＦＦＣコネクタ。
【請求項２】
請求項１に記載のＦＰＣ／ＦＦＣコネクタにおいて、
前記ハウジングは、この内部に前記端子の一部が露出するとともに前記ＦＰＣ又はＦＦＣの端末部分が進退し且つ該端末部分の進退方向に直交する方向に前記保持用ロック部が移動するハウジング内部空間を有する
ことを特徴とするＦＰＣ／ＦＦＣコネクタ。
【請求項３】
絶縁性を有する合成樹脂製のハウジングと、該ハウジングに収容される複数の端子とを備え、前記ハウジングには、ＦＰＣ又はＦＦＣの端末部分に設けられる保持用穴に係合する保持用ロック部と、該保持用ロック部に連続するアーム部とを有し、且つ前記保持用ロック部に対して連動可能で弾性変形可能なロックアームを形成してなるＦＰＣ／ＦＦＣコネクタにおいて、
前記アーム部は、前記保持用ロック部に連続し該保持用ロック部から上方に突出するロック側連続部と、前記操作部に連続する操作側連続部と、前記ロック側連続部に連成されて片持ち形状に形成され前記ハウジングの上壁の外面に対し略平行な状態に形成される板状（帯板状）のアーム本体とを有してなり、
前記ロックアームは、前記ハウジングに一体形成されるとともに、前記保持用ロック部及び前記アーム部に加えて、外部からの力を掛ける部分としての操作部と、該操作部及び前記保持用ロック部間に位置する支点部とを有し、
さらに、前記ロックアームは、前記保持用ロック部の位置が前記保持用穴の位置に対して係合位置にある状態から前記操作部に前記外部からの力を掛けた状態にすると、前記支点部を基点に弾性変形が生じて前記保持用ロック部の位置が前記保持用穴の位置に対し非係合位置へと移動し、
さらに、前記ハウジングは、前記保持用ロック部に連続する弾性変形可能なハウジング側アーム部を有する一方、前記ロックアームの前記支点部は、前記保持用ロック部が前記係合位置にある時に前記ハウジングの外面から離れるように、且つ前記弾性変形が生じると前記外面に近づいて当接するように形成される
ことを特徴とするＦＰＣ／ＦＦＣコネクタ。
【請求項４】
請求項１ないし請求項３いずれか記載のＦＰＣ／ＦＦＣコネクタにおいて、
前記ＦＰＣ又はＦＦＣの前記端末部分は、前記保持用穴を有する板部材を含んで構成され、前記保持用穴は、前記板部材のみに形成される
ことを特徴とするＦＰＣ／ＦＦＣコネクタ。
【発明の詳細な説明】
【技術分野】
【０００１】
本発明は、フレキシブルプリント回路基板（ＦＰＣ）やフレキシブルフラットケーブル（ＦＦＣ）用のコネクタに関する。
【背景技術】
【０００２】
下記特許文献１に開示されたＦＰＣ／ＦＦＣコネクタは、ＦＰＣ又はＦＦＣの端末に設けられるスライダーと、このスライダーが係合するハウジングと、ハウジングに収容される複数の端子とを備えて構成されている。ＦＰＣ／ＦＦＣコネクタは、スライダーがハウジングに係合すると、ＦＰＣ又はＦＦＣの回路が対応する端子に接触し、これによって電気的な接続がなされるようになっている。ＦＰＣ／ＦＦＣコネクタは、スライダーの両側部に形成される一対のロックアームが、ハウジングの両側壁外側に形成される一対のアーム係合部に差し込まれるように、また、差し込み後においては凹凸による引っ掛かり合いが生じるように形成されている。
【０００３】
ところで、上記ＦＰＣ／ＦＦＣコネクタにあっては、両側部の位置にロックアームを有するスライダーを用い、このスライダーをＦＰＣ又はＦＦＣの端末に設ける必要があることから、特にロックアームの配置によりＦＰＣ又はＦＦＣの端末サイズが大きくなってしまうという問題点を有している。尚、ＦＰＣ又はＦＦＣの端末サイズが大きくなると、コスト面においても影響が出てしまうことになる。
【０００４】
この他、上記ＦＰＣ／ＦＦＣコネクタにあっては、ＦＰＣ又はＦＦＣの端末にスライダーを設けるための位置決めのノウハウが必要になる。また、上記ＦＰＣ／ＦＦＣコネクタにあっては、ロックアームとアーム係合部の形状を複雑化していることから、ロック解除が比較的困難になる。
【０００５】
一方、下記特許文献２に開示されたＦＰＣ／ＦＦＣコネクタは、上記ＦＰＣ／ＦＦＣコネクタの問題点解消となる構造を有している。具体的に説明すると、下記特許文献２のＦＰＣ／ＦＦＣコネクタは、ＦＰＣ又はＦＦＣの端末自体に一対の係合穴を有している。また、ハウジングの両側壁には、上記係合穴に係合する凸部を有する一対のロック部材が回動自在に設けられている。ロック部材は、ハウジングに対し別体となる部品であって、回動軸を有しており、凸部はハウジングの外側で係合穴に対し係合するようになっている。
【０００６】
特許文献２のＦＰＣ／ＦＦＣコネクタは、ＦＰＣ又はＦＦＣの端末自体に一対の係合穴を有する構造であることから、位置決めのノウハウを必要とする部材がないものとなっている。また、上記部材がないことから、ＦＰＣ又はＦＦＣの端末サイズが大きくならないものとなっている。
【特許文献１】特開２００２−２３１３４６号公報
【特許文献２】特開２００１−２９１９７９号公報
【発明の開示】
【発明が解決しようとする課題】
【０００７】
特許文献２に開示されたＦＰＣ／ＦＦＣコネクタにあっては、ハウジングに対し別体となるロック部材を回動させてＦＰＣ又はＦＦＣの端末を保持する構造であることから、ロック部材を回動させる分だけのスペースが必要になり、これが問題点となっている。すなわち、上記ＦＰＣ／ＦＦＣコネクタにあっては、ＦＰＣ又はＦＦＣの端末サイズを特許文献１よりも小さくすることができる反面、ハウジング側においてはロック部材が回動することによってハウジングのサイズが大きいのと同じ状態になり、仮に低背のハウジングを形成したとしてもこの低背の効果は薄れてしまうことになる。従って、小型化を図ることが困難であるとともに、これに起因してコスト低減を図ることも困難であるという問題点を有している。
【０００８】
また、上記ＦＰＣ／ＦＦＣコネクタにあっては、ロック部材がハウジングに対し別体の部品であることから、ハウジング側を構成する部品の部品点数が多くなってしまい、これが問題点となっている。
【０００９】
さらに、上記ＦＰＣ／ＦＦＣコネクタにあっては、ＦＰＣ又はＦＦＣに過剰な変形が生じると、ＦＰＣ又はＦＦＣに形成された係合穴からロック部材の凸部が外れてしまうという恐れを有しており、これが問題点となっている。
【００１０】
さらにまた、上記ＦＰＣ／ＦＦＣコネクタにあっては、柔軟性を有するＦＰＣ又はＦＦＣを用いることから、ＦＰＣ又はＦＦＣに変形が生じると、係合穴にロック部材の凸部が係合していない状態であっても、あたかも係合しているように見えてしまうという恐れを有しており、これが問題点となっている。
【００１１】
本発明は、上記した事情に鑑みてなされたもので、小型化やコスト低減や部品点数削減等を図ることが可能なＦＰＣ／ＦＦＣコネクタを提供することを課題とする。また、ＦＰＣ又はＦＦＣの端末部分を正常に保持することが可能なＦＰＣ／ＦＦＣコネクタを提供することも課題とする。さらに、ロック解除を容易に行うことが可能なＦＰＣ／ＦＦＣコネクタを提供することも課題とする。
【課題を解決するための手段】
【００１２】
上記課題を解決するためになされた請求項１記載の本発明のＦＰＣ／ＦＦＣコネクタは、絶縁性を有する合成樹脂製のハウジングと、該ハウジングに収容される複数の端子とを備え、前記ハウジングには、ＦＰＣ又はＦＦＣの端末部分に設けられる保持用穴に係合する保持用ロック部と、該保持用ロック部に連続するアーム部とを有し、且つ前記保持用ロック部に対して連動可能で弾性変形可能なロックアームを形成してなるＦＰＣ／ＦＦＣコネクタにおいて、
前記アーム部は、前記保持用ロック部に連続し該保持用ロック部から上方に突出するロック側連続部と、前記操作部に連続する操作側連続部と、前記ロック側連続部に連成されて片持ち形状に形成され前記ハウジングの上壁の外面に対し略平行な状態に形成される板状（帯板状）のアーム本体とを有してなり、
前記ロックアームは、前記ハウジングに一体形成されるとともに、前記保持用ロック部及び前記アーム部に加えて、外部からの力を掛ける部分としての操作部と、該操作部及び前記保持用ロック部間の前記操作部側に位置し、前記アーム本体の前記ハウジングの外面と対向する面に形成された支点部とを有し、
さらに、前記ロックアームは、前記保持用ロック部の位置が前記保持用穴の位置に対して係合位置にある状態において、前記支点部を前記ハウジングの外面から離れるように位置させ、前記保持用ロック部の位置が前記係合位置にある状態から前記操作部に前記外部からの力を掛けた状態にすると、前記ハウジングの外面から離れていた前記支点部が前記ハウジングの外面に当接して、前記支点部を基点に弾性変形が生じて前記保持用ロック部の位置が前記保持用穴の位置に対し非係合位置へと移動することを特徴としている。
【００１３】
請求項２記載の本発明のＦＰＣ／ＦＦＣコネクタは、請求項１に記載のＦＰＣ／ＦＦＣコネクタにおいて、前記ハウジングは、この内部に前記端子の一部が露出するとともに前記ＦＰＣ又はＦＦＣの端末部分が進退し且つ該端末部分の進退方向に直交する方向に前記保持用ロック部が移動するハウジング内部空間を有することを特徴としている。
【００１５】
請求項３記載の本発明のＦＰＣ／ＦＦＣコネクタは、絶縁性を有する合成樹脂製のハウジングと、該ハウジングに収容される複数の端子とを備え、前記ハウジングには、ＦＰＣ又はＦＦＣの端末部分に設けられる保持用穴に係合する保持用ロック部と、該保持用ロック部に連続するアーム部とを有し、且つ前記保持用ロック部に対して連動可能で弾性変形可能なロックアームを形成してなるＦＰＣ／ＦＦＣコネクタにおいて、
前記アーム部は、前記保持用ロック部に連続し該保持用ロック部から上方に突出するロック側連続部と、前記操作部に連続する操作側連続部と、前記ロック側連続部に連成されて片持ち形状に形成され前記ハウジングの上壁の外面に対し略平行な状態に形成される板状（帯板状）のアーム本体とを有してなり、
前記ロックアームは、前記ハウジングに一体形成されるとともに、前記保持用ロック部及び前記アーム部に加えて、外部からの力を掛ける部分としての操作部と、該操作部及び前記保持用ロック部間に位置する支点部とを有し、
さらに、前記ロックアームは、前記保持用ロック部の位置が前記保持用穴の位置に対して係合位置にある状態から前記操作部に前記外部からの力を掛けた状態にすると、前記支点部を基点に弾性変形が生じて前記保持用ロック部の位置が前記保持用穴の位置に対し非係合位置へと移動し、
さらに、前記ハウジングは、前記保持用ロック部に連続する弾性変形可能なハウジング側アーム部を有する一方、前記ロックアームの前記支点部は、前記保持用ロック部が前記係合位置にある時に前記ハウジングの外面から離れるように、且つ前記弾性変形が生じると前記外面に近づいて当接するように形成されることを特徴としている。
【００１６】
請求項４記載の本発明のＦＰＣ／ＦＦＣコネクタは、請求項１ないし請求項３いずれか記載のＦＰＣ／ＦＦＣコネクタにおいて、前記ＦＰＣ又はＦＦＣの前記端末部分は、前記保持用穴を有する板部材を含んで構成され、前記保持用穴は、前記板部材のみに形成されることを特徴としている。
【発明の効果】
【００１７】
請求項１に記載された本発明によれば、ＦＰＣ又はＦＦＣの端末部分を保持するためのロックアームがハウジングに一体化することから、別体となる部品が少なくなって、従来のものよりも部品点数を削減することができるようになる。また、本発明によれば、弾性変形するロックアームによってＦＰＣ又はＦＦＣの端末部分の保持と保持解除とを行うことから、従来のもの、すなわちハウジングに対し回動するようなロック部材を有するものと比べ、小型化を図ることができるようになる。また、本発明によれば、小型化を図ることにより、コスト面で有利なものとすることができるようにもなる。
【００１８】
また、本発明によれば、保持用ロック部と保持用穴との係合によってＦＰＣ又はＦＦＣの端末部分を保持する、比較的簡単な構造であることから、作業面で有利なものとすることができるようになる。また、本発明によれば、外部からの力を操作部に掛けることのみで保持用ロック部と保持用穴との係合状態を簡単に解除することができるようになる。
【００１９】
この他、ロックアームは、この長さ及び支点部の位置に配慮しながら形成することにより、ロック解除をする際などの力を調整することができるようになる。
【００２０】
本発明は、多極コネクタのような幅方向に長さのあるコネクタの場合に、ロックアームの長さや支点部の位置の調整に係るバリエーションを増やすことができるようになる。
【００２１】
請求項２に記載された本発明によれば、ハウジング内において保持用ロック部と保持用穴とが係合する構造であることから、ハウジングの外側で仮にＦＰＣ又はＦＦＣに過剰な変形が生じたとしても、係合状態を維持することができるようになる。すなわち、上記過剰な変形によって、保持用ロック部から保持用穴が外れてしまうようなことを避けることができるようになる。本発明によれば、ＦＰＣ又はＦＦＣの端末部分を正常に保持することができるようになる。
【００２２】
また、請求項２に記載された本発明によれば、ハウジング内において保持用ロック部と保持用穴とが係合する構造であることから、ハウジングの外側に出る部分が無く、又は格段に少なくなり、結果、従来よりも小型化を図ることができるようになる。
【００２４】
請求項３に記載された本発明によれば、ハウジングに弾性変形可能なハウジング側アーム部を形成して保持用ロック部に連続させることにより、保持用ロック部の変位量を大きくすることができるようになる。また、元の位置に確実に戻すことができるようにもなる。弾性変形させたロックアームを確実に元に位置に戻すことができれば、保持用ロック部の位置も安定することになり、結果、ＦＰＣ又はＦＦＣの端末部分を正常に保持することができるようになる。
【００２５】
さらに、ロックアームの長さや支点部の位置の調整に係るバリエーションの一つとして有効なものとすることができるようになる。
【００２６】
請求項４に記載された本発明によれば、板部材の存在によってＦＰＣ又はＦＦＣの端末部分に過剰な変形が生じ難くなり、より確実に正常な保持をすることができるようになる。
【００２７】
さらに、ＦＰＣ又はＦＦＣに保持用穴を形成する必要がないことから、保持用穴のためにＦＰＣ又はＦＦＣの回路配置を変更しなくても良いようにすることができるようになる。また、本発明によれば、保持用穴の分だけＦＰＣ又はＦＦＣの幅寸法を短くすることができるようになる。小型化を図るために好適なものとすることができるようになる。
【発明を実施するための最良の形態】
【００２８】
以下、図面を参照しながら説明する。図１は本発明のＦＰＣ／ＦＦＣコネクタの一実施の形態を示す斜視図である。また、図２はＦＰＣ又はＦＦＣの端末部分をハウジングに挿入する際の過程を示す図であり、図２（ａ）は挿入直前の状態を示す断面図、図２（ｂ）は挿入途中の状態を示す断面図、図２（ｃ）は挿入後の状態を示す断面図である。さらに、図３はＦＰＣ又はＦＦＣの端末部分をハウジングから離脱させる際の過程を示す図であり、図３（ａ）はロックアームの弾性変形前の状態を示すハウジング正面図、図３（ｂ）は離脱時のロックアーム弾性変形後の状態を示すハウジング正面図である。
【００２９】
図１において、本発明のＦＰＣ／ＦＦＣコネクタ１（本形態においてはＦＰＣコネクタ）は、基板２の表面に実装されるものであって、絶縁性を有する合成樹脂製のハウジング３と、このハウジング３に収容される複数の導電性を有する端子４と、ハウジング３の両側壁にそれぞれ設けられる導電性を有する固定金具５とを備えて構成されている。ＦＰＣ／ＦＦＣコネクタ１は、多極コネクタとなっている。ＦＰＣ／ＦＦＣコネクタ１は、ＦＰＣ６（又はＦＦＣ。ＦＦＣの場合、上記コネクタはＦＦＣコネクタになる）を電気的に接続することができるようになっている。また、ＦＰＣ／ＦＦＣコネクタ１は、ハウジング３の上壁７に一体化するロックアーム８によってＦＰＣ６の端末部分９を保持することができるようになっている。以下、上記各構成について説明する。
【００３０】
図１ないし図３において、上記ハウジング３は、複数の端子４を横一列に並べて収容することができるように幅広の形状に形成されている。ハウジング３は、この内部に端子４の一部が露出するとともにＦＰＣ６の端末部分９が進退し、さらには、端末部分９の進退方向に直交する方向に後述する保持用ロック部１０が移動するハウジング内部空間１１を有している。
【００３１】
ハウジング３の上壁７に一体化するロックアーム８は、ＦＰＣ６の端末部分９を保持するための部分であって、上壁７に一体化することから樹脂製であり、弾性変形可能な形状に形成されている。ロックアーム８は、上壁７の一部を含んで構成されている。ロックアーム８についてもう少し詳しく説明すると、ロックアーム８は、保持用ロック部１０と、アーム部１２と、操作部１３と、支点部１４とを有して構成されている。また、ロックアーム８は、上壁７の一部として、ハウジング側アーム部１５を有している。
【００３２】
保持用ロック部１０は、略爪状の部分となるように形成されている。保持用ロック部１０は、ここでは符号を省略するが、ＦＰＣ６の端末部分９を保持するための係止面と、端末部分９をスムーズに乗り越えさせるためのテーパ面と、これら係止面及びテーパ面との間に位置する頂面とを有している（図２参照）。保持用ロック部１０は、平面視矩形状に形成されている。このような保持用ロック部１０は、ハウジング３の幅方向中央位置に合わせて配置されている。また、保持用ロック部１０は、ハウジング３の前端（前面）側に配置されている。保持用ロック部１０は、ハウジング内部空間１１において、上下方向に移動するようになっている。
【００３３】
アーム部１２は、保持用ロック部１０に連続するロック側連続部１２ａと、操作部１３に連続する操作側連続部１２ｂと、上壁７の外面に対し略平行な状態に形成される板状（帯板状）のアーム本体１２ｃとを有するように形成されている。ロック側連続部１２ａは、保持用ロック部１０から上方に突出するように形成されている。アーム本体１２ｃは、ロック側連続部１２ａに連成されて片持ち形状に形成されている。アーム本体１２ｃは、ハウジング３の幅方向中央位置からハウジング３の一方の側壁に向けて真っ直ぐのびるように形成されている。
【００３４】
操作部１３は、外部からの力（指による押圧力）を掛けることができる部分として形成されている。操作部１３は、操作側連続部１２ｂからのびてハウジング３の前端（前面）位置を若干超えるような長さの略タブ状の形状に形成されている。尚、外部からの力を掛ける方向としては、操作部１３を上壁７の外面に近づける方向であるものとする。
【００３５】
支点部１４は、アーム本体１２ｃ（上壁７の外面に対向する面）に一体に形成されている。支点部１４は、本形態において略蒲鉾形状に形成されている（形状は一例であるものとする。梃子における支点としての機能を有する形状であれば特に限定されないものとする）。支点部１４は、下方に突出するように形成されている。支点部１４は、操作部１３及び保持用ロック部１０間に位置するように配置形成されている（支点部１４の位置は、ロック解除をする際などの力を考慮して設定されている）。支点部１４は、この先端が上壁７の外面から若干離れるように配置形成されている。
【００３６】
ハウジング側アーム部１５は、上壁７にスリットを入れるような状態で形成されている。ハウジング側アーム部１５は、保持用ロック部１０に連続する弾性変形可能な部分として形成されている。ハウジング側アーム部１５は、アーム本体１２ｃに対向するとともに、これと同じ幅を有するように形成されている。
【００３７】
ハウジング３は、この上壁７にロックアーム８が一体化しても、ロックアーム８が上記形状に形成されることから、低背のものとなるようになっている。
【００３８】
上記端子４は、基板２の表面に半田付けされる基板接触脚部４ａと、ハウジング３に保持されるハウジング被保持部４ｂと、弾性を有してＦＰＣ６の図示しない回路に接触する片持ち形状の電気接触部４ｃと、ＦＰＣ６の端末部分９の厚みを考慮して電気接触部４ｃの上方に位置する端末押さえ部４ｄとを有して、例えば図示の形状に形成されている（図２参照）。電気接触部４ｃと端末押さえ部４ｄは、ハウジング内部空間１１に露出するように配置されている。
【００３９】
ＦＰＣ６の端末部分９は、ＦＰＣ６の端末９ａと、この端末９ａに後付けで一体化する補強板９ｂ（板部材）とを有して構成されている。補強板９ｂは、ハウジング内部空間１１に挿抜可能な部分９ｃと、ＦＰＣ６の端末９ａを位置決めして固定するための一対の位置決め部９ｄとを有している。挿抜可能な部分９ｃには、平面視矩形状の保持用穴９ｅが形成されている。保持用穴９ｅは、保持用ロック部１０の位置及び形状に合わせて形成されている。引用符号９ｆは、ハウジング３の前面に当接可能なストッパ部分を示している。
【００４０】
尚、本形態においては、補強板９ｂのみに保持用穴９ｅが形成されている（一例であるものとする。例えば補強板９ｂと端末９ａとを重ね合わせた後に、これら両方に保持用穴９ｅを貫通形成するようにしてもよいものとする）。保持用穴９ｅには、特に符号を付さないが、被係止面が形成されている。補強板９ｂの先端は、保持用ロック部１０の上記テーパ面に当接するようになっている。補強板９ｂは、端末９ａの上に重なるように固定されている。
【００４１】
次に、上記構成及び構造に基づきながらＦＰＣ６の端末部分９の挿入・離脱に関して説明する。
【００４２】
図２（ａ）及び（ｂ）において、補強板９ｂを上にした状態でＦＰＣ６の端末部分９をハウジング３のハウジング内部空間１１に挿入すると、補強板９ｂの先端が保持用ロック部１０のテーパ面に当接する。これにより、矢印Ｐで示す如く上方の力がロックアーム８に作用するようになる。従って、保持用ロック部１０は上方に移動する。
【００４３】
保持用ロック部１０が上方に移動すると、これに伴って端末部分９の挿入が進み、端末部分９ａが電気接触部４ｃと端末押さえ部４ｄとの間に差し込まれると、電気接触部４ｃとＦＰＣ６の図示しない回路との電気的な接続が行われる。そして、最後に、保持用ロック部１０が元の位置に戻り保持用穴９ｅに係合して係止状態が形成されると、ＦＰＣ６の端末部分９の挿入が完了する。ＦＰＣ６の端末部分９は、抜けの生じない状態に保持される（図２（ｃ）参照）。
【００４４】
一方、ＦＰＣ６の端末部分９をハウジング内部空間１１から離脱する場合は、図３（ａ）にある状態から（端末部分９の図示は省略する）、図３（ｂ）の矢印Ｑで示す如く操作部１３を押圧する。これにより支点部１４が上壁７の外面に当接して梃子の支点として機能する。さらに押圧を続けてロックアーム８を図示の如く弾性変形させると、これによって保持用ロック部１０は上方に移動する。
【００４５】
保持用ロック部１０が上方に移動すると、保持用ロック部１０の位置が保持用穴９ｅの位置に対し非係合位置となることから、ＦＰＣ６の端末部分９をハウジング内部空間１１から引き抜くことができるようになる。従って、引き抜くと離脱が完了する。
【００４６】
以上、本発明のＦＰＣ／ＦＦＣコネクタ１によれば、ＦＰＣ６の端末部分９を保持するためのロックアーム８がハウジング３に一体化することから、別体となる部品が少ないものとなっている。従って、従来のものよりも部品点数を削減することができるという効果を奏する。
【００４７】
また、本発明のＦＰＣ／ＦＦＣコネクタ１によれば、弾性変形するロックアーム８によって端末部分９の保持と保持解除とを行うことから、従来のもの、すなわちハウジングに対して回動するようなロック部材を有するものと比べ、小型化を図ることができるという効果を奏する。
【００４８】
また、本発明のＦＰＣ／ＦＦＣコネクタ１によれば、小型化を図ることにより、コスト面で有利なものとすることができるという効果を奏する。
【００４９】
また、本発明のＦＰＣ／ＦＦＣコネクタ１によれば、保持用ロック部１０と保持用穴９ｅとの係合によって端末部分９を保持する、比較的簡単な構造であることから、作業面で有利なものとすることができるという効果を奏する。
【００５０】
また、本発明のＦＰＣ／ＦＦＣコネクタ１によれば、外部からの力を操作部１３に掛けることのみで保持用ロック部１０と保持用穴９ｅとの係止状態及び係合状態を簡単に解除することができることから、作業面でさらに有利なものとすることができるという効果を奏する。
【００５１】
続いて、図４ないし図８を参照しながら本発明のＦＰＣ／ＦＦＣコネクタの他の一実施の形態を説明する（尚、上記形態と基本的に同様な部材には同一の符号を付して説明を省略する）。
【００５２】
図４は他の一実施の形態を示す分解斜視図、図５はハウジング正面側から見た時のＦＰＣ／ＦＦＣコネクタの斜視図、図６はハウジング背面側から見た時のＦＰＣ／ＦＦＣコネクタの斜視図、図７はＦＰＣ／ＦＦＣコネクタの断面図である。また、図８はＦＰＣ又はＦＦＣの端末部分の挿入時又は離脱時の過程を示す図であり、図８（ａ）は挿入後の状態を示す断面図、図８（ｂ）及び（ｃ）は挿入途中の状態を示す断面図、図８（ｄ）及び（ｅ）は離脱途中の状態を示す断面図である。
【００５３】
図４において、本発明のＦＰＣ／ＦＦＣコネクタ２１（ＦＰＣコネクタ）は、基板２の表面に実装されるものであって、絶縁性を有する合成樹脂製のハウジング２２と、このハウジング２２に収容される複数の導電性を有する端子２３と、ハウジング２２の両側壁にそれぞれ設けられる導電性を有する固定金具５とを備えて構成されている。ＦＰＣ／ＦＦＣコネクタ２１は、多極コネクタとなっている。ＦＰＣ／ＦＦＣコネクタ２１は、ＦＰＣ６（図１及び図８参照。以下同様）を電気的に接続することができるようになっている。また、ＦＰＣ／ＦＦＣコネクタ２１は、ハウジング２２の上壁２４に一体化するロックアーム２５によってＦＰＣ６の端末部分９を保持することができるようになっている。
【００５４】
図４ないし図７において、上記ハウジング２２は、複数の端子２３を横一列に並べて収容することができるように幅広の形状に形成されている。ハウジング２２は、この内部に端子２３の一部が露出するとともにＦＰＣ６の端末部分９が進退し、さらには、端末部分９の進退方向に直交する方向に後述する保持用ロック部２６が移動するハウジング内部空間２７を有している。
【００５５】
ハウジング２２の上壁２４に一体化するロックアーム２５は、ＦＰＣ６の端末部分９を保持するための部分であって、上壁２４に一体化することから樹脂製であり、弾性変形可能な形状に形成されている。ロックアーム２５は、上壁２４の一部を含んで構成されている。ロックアーム２５についてもう少し詳しく説明すると、ロックアーム２５は、保持用ロック部２６と、アーム部２８と、操作部２９と、支点部３０と、上壁２４の一部としてのハウジング側アーム部３１とを有している。
【００５６】
保持用ロック部２６は、略爪状の部分となるように形成されている。保持用ロック部２６は、係止面とテーパ面と頂面とを有している。保持用ロック部２６は、上記形態の保持用ロック部１０と同じ機能を有しており、平面視矩形状に形成されている。このような保持用ロック部２６は、ハウジング２２の幅方向中央位置に合わせて配置されている。また、保持用ロック部２６は、ハウジング２２の前後方向中間位置に配置されている。保持用ロック部２６は、ハウジング内部空間２７において、上下方向に移動するようになっている。
【００５７】
アーム部２８は、保持用ロック部２６に連続するロック側連続部２８ａと、操作部２９に連続する操作側連続部２８ｂと、上壁２４の外面に対し略平行な状態に形成される板状でＬ字状のアーム本体２８ｃとを有するように形成されている。ロック側連続部２８ａは、保持用ロック部２６から上方に突出するように形成されている。アーム本体２８ｃは、ロック側連続部２８ａに連成されて片持ち形状に形成されている。アーム本体２８ｃは、ハウジング２２の幅方向中央位置からハウジング２２の一方の側壁に向けてのびるとともに、９０°方向転換した後にハウジング２２の前端（前面）に向けてのびるようなＬ字状に形成されている（平面視略Ｌ字状となる形状に形成されている）。
【００５８】
操作部２９は、上記形態の操作部１３と同じ機能を有している。また、支点部３０も上記形態の支点部１４と同じ機能及び形状を有している。支点部３０は、この先端が上壁２４の外面から若干離れるように配置形成されている。
【００５９】
ハウジング側アーム部３１は、上壁２４にスリットを入れるような状態で形成されている。ハウジング側アーム部３１は、保持用ロック部２６に連続する弾性変形可能な部分として形成されている。ハウジング側アーム部３１は、ハウジング２２の前後方向にのびて保持用ロック部２６に連続する一対の連続部３１ａと、この連続部３１ａが連続する基部３１ｂとを有している。基部３１ｂは、ハウジング２２の前端（前面）側に位置するように配置されている。
【００６０】
ハウジング２２は、この上壁２４にロックアーム２５が一体化しても、ロックアーム２５が上記形状に形成されることから、低背のものとなるようになっている。
【００６１】
上記端子２３は、基板２の表面に半田付けされる基板接触脚部２３ａと、ハウジング２２に保持されるハウジング被保持部２３ｂと、弾性を有してＦＰＣ６の図示しない回路に接触する片持ち形状の電気接触部２３ｃとを有している（図４参照）。電気接触部２３ｃは、ハウジング内部空間２７に露出するように配置されている。
【００６２】
続いて、上記構成及び構造に基づきながら、また、図８を参照しながらＦＰＣ６の端末部分９の挿入・離脱に関して説明する。図８（ａ）は挿入後の状態を示している。
【００６３】
図８（ｂ）及び（ｃ）において、補強板９ｂを上にした状態でＦＰＣ６の端末部分９をハウジング２２のハウジング内部空間２７に挿入すると、補強板９ｂの先端が保持用ロック部２６のテーパ面に当接する（図８（ｃ）中の黒丸が当接を示す）。これにより、矢印Ｐで示す如く上方の力がロックアーム２５に作用する。従って、保持用ロック部２６は上方に移動する。
【００６４】
保持用ロック部２６が上方に移動すると、これに伴って端末部分９の挿入が進み、端末部分９ａが奥まで差し込まれると、電気接触部２３ｃとＦＰＣ６の図示しない回路との電気的な接続が行われる。そして、最後に、保持用ロック部２６が元の位置に戻り保持用穴９ｅに係合して係止状態が形成されると、ＦＰＣ６の端末部分９の挿入が完了する。ＦＰＣ６の端末部分９は、抜けの生じない状態に保持される（図８（ａ）参照）。
【００６５】
一方、ＦＰＣ６の端末部分９をハウジング内部空間２７から離脱する場合は、図８（ｅ）の矢印Ｑで示す如く操作部２９を押圧する。これにより支点部３０が上壁２４の外面に当接して梃子の支点として機能する（図８（ｄ）参照）。さらに押圧を続けてロックアーム２５を弾性変形させると、この弾性変形によって保持用ロック部２６は上方に移動する。
【００６６】
保持用ロック部２６が上方に移動すると、保持用ロック部２６の位置が保持用穴９ｅの位置に対し非係合位置となることから、ＦＰＣ６の端末部分９をハウジング内部空間２７から引き抜くことができるようになる。従って、引き抜くと離脱が完了する。
【００６７】
以上の説明からも分かるように、本発明のＦＰＣ／ＦＦＣコネクタ２１は、ＦＰＣ／ＦＦＣコネクタ１と同じ効果を奏するのは言うまでもない。
【００６８】
続いてさらに、図９ないし図１１を参照しながら本発明のＦＰＣ／ＦＦＣコネクタの更に他の一実施の形態を説明する（尚、上記形態と基本的に同様な部材には同一の符号を付して説明を省略する）。
【００６９】
図９ないし図１１において、本発明のＦＰＣ／ＦＦＣコネクタ４１（ＦＰＣコネクタ）は、基板２の表面に実装されるものであって、絶縁性を有する合成樹脂製のハウジング４２と、このハウジング４２に収容される複数の導電性を有する端子２３と、ハウジング４２の両側壁にそれぞれ設けられる導電性を有する固定金具５とを備えて構成されている。ＦＰＣ／ＦＦＣコネクタ４１は、多極コネクタとなっている。ＦＰＣ／ＦＦＣコネクタ４１は、ＦＰＣ６（図１参照。本形態においては図示省略）を電気的に接続することができるようになっている。また、ＦＰＣ／ＦＦＣコネクタ４１は、ハウジング４２の上壁４３に一体化するロックアーム４４によってＦＰＣ６の端末部分９を保持することができるようになっている。
【００７０】
上記ハウジング４２は、複数の端子２３を横一列に並べて収容することができるように幅広の形状に形成されている。ハウジング４２は、この内部に端子２３の一部が露出するとともにＦＰＣ６の端末部分９が進退し、さらには、端末部分９の進退方向に直交する方向に後述する保持用ロック部４５が移動するハウジング内部空間４６を有している。
【００７１】
ハウジング４２の上壁４３に一体化するロックアーム４４は、ＦＰＣ６の端末部分９を保持するための部分であって、上壁４３に一体化することから樹脂製であり、弾性変形可能な形状に形成されている。ロックアーム４４は、保持用ロック部４５と、平面視Ｍ字状のアーム部４７と、操作部４８と、一対の支点部４９とを有している。尚、ロックアーム４４の各部分の機能は、上記形態のロックアーム２５の各部分の機能と基本的に同じであり、ここでは詳細な説明を省略するものとする。
【００７２】
ハウジング４２は、この上壁４３にロックアーム４４が一体化しても、低背のものとなるようになっている。
【００７３】
上記構成に基づきながらＦＰＣ６の端末部分９の挿入・離脱に関して説明する。
【００７４】
図１１（ａ）において、補強板９ｂを上にした状態でＦＰＣ６の端末部分９をハウジング４２のハウジング内部空間４６に挿入すると、補強板９ｂの先端が保持用ロック部４５のテーパ面に当接する（矢印Ｒと小さな円を参照）。これにより、矢印Ｐで示す如く上方の力がロックアーム４４に作用するようになる。ここでは特に図示しないが、保持用ロック部４５は上方に移動する。
【００７５】
保持用ロック部４５が上方に移動すると、これに伴って端末部分９の挿入が進み、端末部分９ａが奥まで差し込まれると、電気接触部２３ｃとＦＰＣ６の図示しない回路との電気的な接続が行われる。そして、最後に、保持用ロック部４５が元の位置に戻り保持用穴９ｅに係合して係止状態が形成されると、ＦＰＣ６の端末部分９の挿入が完了する。ＦＰＣ６の端末部分９は、抜けの生じない状態に保持される。
【００７６】
一方、ＦＰＣ６の端末部分９をハウジング内部空間４６から離脱する場合は、図１１（ｂ）の矢印Ｑで示す如く操作部４８を押圧して支点部４９を支点として機能させる（矢印Ｓの黒丸位置で支点として機能する）。そして、ロックアーム４４が弾性変形すと、この弾性変形によって保持用ロック部４５は矢印Ｔで示す上方に移動する。
【００７７】
保持用ロック部４５が上方に移動すると、保持用ロック部４５の位置が保持用穴９ｅの位置に対し非係合位置となることから、ＦＰＣ６の端末部分９をハウジング内部空間４６から引き抜くことができるようになる。従って、引き抜くと離脱が完了する。
【００７８】
本発明のＦＰＣ／ＦＦＣコネクタ４１は、ＦＰＣ／ＦＦＣコネクタ１、２１と同じ効果を奏するのは言うまでもない。
【００７９】
この他、本発明は本発明の主旨を変えない範囲で種々変更実施可能なことは勿論である。
【図面の簡単な説明】
【００８０】
【図１】本発明のＦＰＣ／ＦＦＣコネクタの一実施の形態を示す斜視図である。
【図２】ＦＰＣ又はＦＦＣの端末部分をハウジングに挿入する際の過程を示す図であり、（ａ）は挿入直前の状態を示す断面図、（ｂ）は挿入途中の状態を示す断面図、（ｃ）は挿入後の状態を示す断面図である。
【図３】ＦＰＣ又はＦＦＣの端末部分をハウジングから離脱させる際の過程を示す図であり、（ａ）はロックアームの弾性変形前の状態を示すハウジング正面図、（ｂ）は離脱時のロックアーム弾性変形後の状態を示すハウジング正面図である。
【図４】本発明のＦＰＣ／ＦＦＣコネクタの他の一実施の形態を示す分解斜視図である。
【図５】ハウジング正面側から見た時のＦＰＣ／ＦＦＣコネクタの斜視図である。
【図６】ハウジング背面側から見た時のＦＰＣ／ＦＦＣコネクタの斜視図である。
【図７】ＦＰＣ／ＦＦＣコネクタの断面図である。
【図８】ＦＰＣ又はＦＦＣの端末部分の挿入時又は離脱時の過程を示す図であり、（ａ）は挿入後の状態を示す断面図、（ｂ）及び（ｃ）は挿入途中の状態を示す断面図、（ｄ）及び（ｅ）は離脱途中の状態を示す断面図である。
【図９】本発明のＦＰＣ／ＦＦＣコネクタの更に他の一実施の形態を示す斜視図である。
【図１０】図９のＦＰＣ／ＦＦＣコネクタの図であり、（ａ）は平面図、（ｂ）は正面図である。
【図１１】ＦＰＣ又はＦＦＣの端末部分の挿入時又は離脱時の過程を示す図であり、（ａ）は挿入時の断面図、（ｂ）離脱時の断面図である。
【符号の説明】
【００８１】
１  ＦＰＣ／ＦＦＣコネクタ
２  基板
３  ハウジング
４  端子
５  固定金具
６  ＦＰＣ（ＦＰＣ／ＦＦＣ）
７  上壁
８  ロックアーム
９  端末部分
１０  保持用ロック部
１１  ハウジング内部空間
１２  アーム部
１３  操作部
１４  支点部
１５  ハウジング側アーム部
２１  ＦＰＣ／ＦＦＣコネクタ
２２  ハウジング
２３  端子
２４  上壁
２５  ロックアーム
２６  保持用ロック部
２７  ハウジング内部空間
２８  アーム部
２９  操作部
３０  支点部
３１  ハウジング側アーム部
４１  ＦＰＣ／ＦＦＣコネクタ
４２  ハウジング
４３  上壁
４４  ロックアーム
４５  保持用ロック部
４６  ハウジング内部空間
４７  アーム部
４８  操作部
４９  支点部
【図１】
0005422144.tif 000002
【図２】
0005422144.tif 000003
【図３】
0005422144.tif 000004
【図４】
0005422144.tif 000005
【図５】
0005422144.tif 000006
【図６】
0005422144.tif 000007
【図７】
0005422144.tif 000008
【図８】
0005422144.tif 000009
【図９】
0005422144.tif 000010
【図１０】
0005422144.tif 000011
【図１１】
0005422144.tif 000012